(57)【要約】【課題】本発明は、ガス遮断後にも輻射熱などによってガス圧力が過度に上昇する場合、ガス容器に内蔵されたガスを外部に排出させることで爆発事故が発生することができないようにする携帯用ガスレンジの爆発防止装置に関するものである。【解決手段】本発明は、ガス調整器においてガス容器が装着されるガス注入部に直交する方向に水平ガス流路が形成され、前記水平ガス流路には一側に流路遮断式安全弁が設置されるとともに爆発防止装置が設置され、前記水平ガス流路の流路遮断式安全弁側から圧力調節室にガスを移動させてガス圧力を調節させた後、スピンドルでガス排出量を調節する。【選択図】図１３
2016516170.tif 000002
【特許請求の範囲】
【請求項１】
携帯用ガスレンジのガス調整器１００に備えられたガス注入部１０にガス容器が装着され、
前記ガス注入部１０と直交する方向に貫通される水平ガス流路２０が形成され、
前記水平ガス流路２０の一側には、ガス圧力が高圧（５〜７ｋｇ／ｃｍ２）であるとき、遮断バルブ２１を移動させて遮断段部２３を塞いでガス流路を遮断する流路遮断式安全弁２００が設けられ、
前記流路遮断式安全弁２００と対向する側に、ガスが遮断された状態でガス圧力が爆発圧力（１３ｋｇ／ｃｍ２以上）に上昇するとき、水平ガス流路２０のガスを外部に排出させる爆発防止装置３００が設けられ、前記爆発防止装置３００は、流路遮断式安全弁２００と対向する位置の水平ガス流路２０に設けられるとともに水平ガス流路２０に螺合されるボディー３１０を備え、前記ボディー３１０の中央には水平ガス流路２０と連通する排出口３２０が形成され、外側中央に陷沒部３３０が形成され、前記陷沒部３３０には排出口３２０を塞ぐボール３４０が設けられ、前記ボディー３１０の外側にはボール３４０を押して排出口３２０を塞ぐリーフスプリング３５０が設けられ、
前記水平ガス流路２０に注入されたガスは圧力調節室４０で静圧に調節された後、スピンドル５０を通じてバーナーに供給されるように構成されたことを特徴とする、携帯用ガスレンジの爆発防止装置。
【請求項２】
爆発防止装置３００のリーフスプリング３５０は等間隔でボール３４０を押圧し、前記リーフスプリング３５０は、ガス圧力が爆発圧力（１３ｋｇ／ｃｍ２以上）に上昇するとき、ボール３４０がリーフスプリング３５０を押しながら離脱することを特徴とする、請求項１に記載の携帯用ガスレンジの爆発防止装置。
【発明の詳細な説明】
【技術分野】
【０００１】
本発明は携帯用ガスレンジの使用中にガス圧力が上昇する場合、ガス容器を離脱させるとか調整器（Ｒｅｇｕｌａｔｏｒ）でガス流路を遮断して爆発事故を防止するとともに、ガス遮断後にも輻射熱などによってガス圧力が過度に上昇する場合、ガス容器に内蔵されたガスを外部に排出させることで爆発事故が発生しないようにする携帯用ガスレンジの爆発防止装置に関する
【背景技術】
【０００２】
一般に、携帯用ガスレンジは、ガスが内蔵されたガス容器を装着レバーで装着させ、ガス容器に満たされた高圧のガスが調整器によって低圧のガスに調整された後、バーナーに供給されて燃焼されるようにしている。この過程でガス容器の内圧が高圧（５〜７ｋｇ／ｃｍ２）に上昇すれば、ガス容器の爆発危険があるから、ガス容器を装着する装着レバーを復帰させてガス容器の装着状態を解除するとか、あるいは調整器の内部のガス流路を遮断してガスが供給されないようにすることで危ない状況が発生しないようにしている。
【０００３】
すなわち、携帯用ガスレンジは、ガス容器の圧力が高圧に上昇する場合、強制に装着レバーを復帰させてガス供給を遮断させるカン離脱式と、調整器の流路を遮断してガス供給を遮断する流路遮断式とを用いて１次に爆発事故を防止している。
【０００４】
しかし、カン離脱式の場合、ガス容器の高圧発生によって装着レバーが復帰したことを認知することができず、使用者が強制にガス容器を装着させることによって危ない状況が発生する問題とともに、装着レバーを離脱させるためにコイルスプリングを使うため、長期間の使用時、コイルスプリングの弾性力低下によって装着レバーの復帰が容易でなく、ガス容器が完全に離脱することができなくてガスが漏出する問題がある。
【０００５】
そして、流路遮断式の場合には、調整器の内部で流路を遮断することになって比較的安定した動作を維持することができるが、前記カン離脱式と流路遮断式の場合、ガス容器の内圧上昇が発生する場合、ガスの流れを遮断するだけであるので、ガス容器には内圧が上昇する要因を除去するまでずっとガスが満たされていることになる。
【０００６】
このように、ガス容器の内圧が上昇してガス容器を離脱させるとか、あるいは流路を遮断してガス供給を遮断する場合、燃焼は中断されるがガス容器にはずっとガスが残っている状態となるので、既に加熱された調理容器からの輻射熱や外部要因によって続いてガス容器が加熱される場合には、ガス容器に残っているガスが過度な圧力で膨脹して人名被害を及ぼす爆発事故が頻繁に発生する問題がある。
【０００７】
すなわち、ガス容器の内圧が上昇してカン離脱式又は流路遮断式を用いてガス供給を遮断した場合にも、ガス容器が輻射熱や外部熱源に露出されて加熱される場合、過度な圧力（１３Ｋｇ／ｃｍ２以上）に上昇すれば、ガス容器が爆発するしかないので、このようなガス容器爆発事故を防止するためには、ガス容器に満たされたガスを外部に排出させることで爆発の根源を無くすことが最善である。
【先行技術文献】
【特許文献】
【０００８】
【特許文献１】大韓民国実用新案登録第２０−０１９９４８４号公報
【特許文献２】大韓民国特許登録第１０−０３９２７９４号公報
【特許文献３】大韓民国特許登録第１０−０６３６８４０号公報
【特許文献４】大韓民国特許公開第１０−２００３−００９１１１４号公報
【発明の概要】
【発明が解決しようとする課題】
【０００９】
本発明は、携帯用ガスレンジに装着されたガス容器の圧力が上昇する場合、ガス供給を遮断してバーナーを消火させるガスレンジであって、ガス供給が遮断された状態で輻射熱などの外的要因によってガス容器のガス圧力が過度に上昇して爆発のおそれがある場合、調整器でガス流路を外部に開放させることでガス容器から圧力が上昇したガスを外部に排出させることにより、ガス遮断状態でガス容器の圧力が爆発するほどに過度に上昇する場合、根本的にガス爆発の危険を無くすものである。
【課題を解決するための手段】
【００１０】
本発明は、携帯用ガスレンジのガス調整器において、ガス容器が装着されるガス注入部に直交する方向に水平ガス流路を形成し、前記水平ガス流路には、一側に流路遮断式安全弁を設置するとともに爆発防止装置を設置し、前記水平ガス流路の流路遮断式安全弁側から圧力調節室にガスを移動させてガス圧力を調節した後、スピンドルでガス排出量を調節するもので、ガス注入部から安全事故が発生し得る高圧のガスが流入するとき、流路遮断式安全弁が作動して、高圧のガスが圧力調節室に伝達することを防止して消火されるようにし、流路遮断によるガス遮断後にも輻射熱などによってガス圧力が過度に上昇する場合、爆発防止装置が作動して水平ガス流路を外部と連通させることにより、ガスの強制排出によってガス容器の爆発が起こらないようにするものである。
【００１１】
本発明は、携帯用ガスレンジのガス調整器において、ガス容器の内圧が高圧に上昇する場合、１次に流路遮断式安全弁でガス供給を遮断し、ガス供給が遮断された状態でも輻射熱や外部熱源によってガス容器の圧力が爆発圧力に上昇する場合、水平ガス流路を外部に開放させて、ガス容器に満たされたガスを大気中に放出することにより、ガス容器の爆発が起こらないようにするものである。
【００１２】
本発明は、カン離脱式でガスを遮断するように設計されたガスレンジにも同様に適用することができるもので、カン離脱式を採用したガスレンジのガス調整器において、ガス容器に満たされたガスが注入されるガス流路に爆発防止装置を設置することにより、ガス遮断後にも爆発圧力にガス圧力が上昇する場合、爆発防止装置が作動してガス流路に満たされたガスを外部に排出させることにより、爆発事故を事前に防止するものである。
【００１３】
本発明は、カン離脱式を採用したガスレンジにおいて、ガス圧力が高圧になる場合、ガス容器を離脱させてガス供給を遮断するとともに、ガス遮断後にも輻射熱などによって爆発圧力に上昇する場合、ガス調整器に設置された爆発防止装置が作動してガス容器のガスを排出することになる。
【発明の効果】
【００１４】
本発明は、流路遮断式安全弁を備えた携帯用ガスレンジのガス調整器において、１次に高圧のガスが感知されて流路が遮断された状態でも、ガス容器の圧力が過度に上昇する場合には、ガス調整器で２次にガス流路を開放してガス容器のガスを大気中に排出させることで、ガス遮断後に輻射熱などによる爆発事故が発生しないようにする効果がある。
【００１５】
特に、本発明は、ガス調整器において、１次にガス容器の高圧がかかる場合、ガス供給を遮断して事前に事故を防止し、ガス供給が遮断された状態で輻射熱などによってガス容器のガス圧力が過度に上昇する場合は、ガス流路を大気と連通させることにより、ガス容器に満たされたガスを外部に排出させて爆発が発生することができないようにするものである。
【００１６】
そして、本発明は、既存のガス調整器の構造を変更しなくても簡単に爆発防止装置を設置することができるので、製作が容易であり、またコイルスプリングを使わなくて安定で確かなガス排出ができるようにするもので、コイルスプリングを使う場合、時間が経過すればコイルスプリングの弾性力低下によってガス圧力感知による誤作動が発生することができるが、本発明ではリーフスプリングを用いてガス圧力を感知するので、長期間が経過しても作動の安全性を保障することができる。
【００１７】
また、本発明は、カン離脱式を採用するガスレンジのガス調整器にも爆発防止放置を設置することにより、ガス容器を離脱させてガスを遮断する場合にも、輻射熱によって爆発圧力に上昇する場合、強制にガスを外部に排出させて爆発事故を防止する効果がある。
【図面の簡単な説明】
【００１８】
【図１】既存のガス調整器の斜視図である。
【図２】既存のガス調整器の正面図である。
【図３】図２に示したＡ−Ａ線についての部分分解断面図である。
【図４】図２に示したＢ−Ｂ線についての部分分解断面図である。
【図５】本発明によるガス調整器の斜視図である。
【図６】本発明によるガス調整器の爆発防止装置を分離した状態の斜視図である。
【図７】本発明によるガス調整器の爆発防止装置の分解斜視図である。
【図８】本発明によるガス調整器の背面斜視図である。
【図９】本発明によるガス調整器の正面図である。
【図１０】本発明によるガス調整器の背面図である。
【図１１】本発明によるガス調整器の左側面図である。
【図１２】本発明によるガス調整器の平面図である。
【図１３】本発明によるガス調整器のＡ−Ａ線についての断面図である。
【図１４】本発明によるガス調整器のＡ−Ａ線についての部分分解断面図である。
【図１５】本発明によるガス調整器のＢ−Ｂ線についての断面図である。
【図１６】図１５でガス排出状態を示した断面図である。
【図１７】本発明によるガス調整器のＢ−Ｂ線についての部分分解断面図である。
【発明を実施するための形態】
【００１９】
本発明が適用される既存のガス調整器１００ａは、図１〜図４に示したように、ガス容器がガス注入部１０に結合されたままで図示しない装着レバーによって装着されれば、ガス容器に満たされたガスはガス注入部１０から水平ガス流路２０を通過し、ガス調整器の圧力調節室４０で静圧に変換された後、スピンドル５０を通じてバーナーに供給されて燃焼される。このような携帯用ガスレンジは、水平ガス流路２０の遮断段部２３をスプリング２２によって弾支される遮断バルブ２１が塞ぐことでガス供給が遮断され、前記スプリング２２は栓２４によって支えられる。
【００２０】
そして、前記水平ガス流路２０には流路遮断式安全弁２００を設置することで、ガス容器の圧力が高圧に上昇するとき、遮断バルブ２１を移動させて遮断段部２３から水平ガス流路２０を通過するガスの流れを遮断してガス供給を中止させることで消火させるもので、前記流路遮断式安全弁２００はリーフスプリング２１０によって支えられるバルブノブ２２０が遮断バルブ２１を支えるようにするとともに、前記リーフスプリング２１０は高圧（５〜７ｋｇ／ｃｍ２）がかかったときにガス圧力によって押されるようにすることにより、高圧がかかれば、バルブノブ２２０がリーフスプリング２１０を押しながら移動することになり、これによりスプリング２２によって弾支された遮断バルブ２１が遮断段部２３を塞いでガス供給を遮断することになる。
【００２１】
高圧（５〜７ｋｇ／ｃｍ２）によって遮断バルブ２１が移動してガス供給が遮断された後、問題が解決されれば、復帰レバー２３０を押してリーフスプリング２１０を元の位置に復帰させることにより、遮断バルブ２１も元の位置に復帰してガス供給が再開される。
【００２２】
本発明は、このようなガス調整器１００ａの栓２４が螺合されてスプリング２２を支えることになる点に着眼し、栓２４を除去した後、栓２４が結合される所に爆発防止装置３００を結合する。したがって、本発明のガス調整器１００は、前記のように流路遮断式安全弁２００の作動によってガス容器の圧力が高圧（５〜７ｋｇ／ｃｍ２）になったことを感知されれば、ガスを遮断し、ガスが遮断された状態でも輻射熱などによってガス容器の圧力が爆発圧力（１３Ｋｇ／ｃｍ２以上）まで上昇するとき、前記爆発防止装置３００でガス容器のガスを外部に排出させることにより爆発事故を防止することになる。
【００２３】
本発明は、携帯用ガスレンジのガス調整器１００に、ガス注入部１０に直交するように水平ガス流路２０を形成することにより、ガス容器が装着される場合、水平ガス流路２０にガスが供給されるようにし、前記水平ガス流路２０に供給されたガスは圧力調節室４０で静圧になった後、スピンドル５０を通じてバーナーに供給されて燃焼され、ガスの燃焼過程でガス容器の圧力が高圧（５〜７ｋｇ／ｃｍ２）に上昇する場合は、水平ガス流路２０に設置された流路遮断式安全弁２００が作動して水平ガス流路２０を遮断して消火させ、消火された状態でも輻射熱や外部の熱源によってガス容器の圧力が爆発圧力（１３ｋｇ／ｃｍ２以上）に上昇する場合には、水平ガス流路２０にさらに設置される爆発防止装置３００が作動して水平ガス流路２０を大気と連通させてガス容器のガスをすっかり大気中に排出させることにより、ガス容器が爆発する場合を完璧に防止することになる。
【００２４】
このように、本発明は、ガスが燃焼されるとき、ガス容器の圧力が高圧に上昇する場合、ガス供給を遮断して消火させることになる流路遮断式安全弁２００が備えられたガス調整器１００において、前記流路遮断式安全弁２００と対向する位置に、ガス供給が遮断された後にも輻射熱などによってガス容器の圧力が上昇する場合、ガス容器のガスを大気中に排出させて爆発を防止する爆発防止装置３００を備えるもので、本発明の爆発防止装置３００は、作動後にはガス排出を塞がないでガス容器のガスがすっかり大気中に排出される。
【００２５】
本発明は、ガス燃焼中に圧力が上昇すれば、流路遮断式安全弁２００によってガス容器の爆発を防止し、ガス遮断後にも圧力が上昇すれば、爆発防止装置３００によってガス容器の爆発を防止することになるもので、ガス調整器で二回にかけて爆発を防止することにより、ガス容器の爆発を根本的に遮断して安定した使用を保障することができる。
【００２６】
このような本発明は、高圧が発生するとき、ガス容器を離脱させてガス供給を遮断するカン離脱式を採用したガス調整器１００にも適用されるもので、ガス容器のガスが供給されるガス流路に爆発防止装置３００を螺合方式で結合して固定させれば良いもので、ガス容器の離脱後にも輻射熱が作用すれば、ガス容器の膨脹によってガス注入部１０に密着して過度な圧力のガスがガス流路に満たされ、この状態で爆発圧力に上昇すれば、爆発防止装置３００でガス流路に満たされたガスを外部に排出させて爆発が発生しないようにする。
【実施例１】
【００２７】
本発明は好適な実施例によってより明らかに説明できるもので、以下本発明を実施例の図面に基づいて詳細に説明する。
【００２８】
本発明は、ガスレンジに設置され、ガス容器に満たされた高圧のガスを静圧に変換させた後、バーナーに供給する調整器１００において、ガスが燃焼されるとき、ガス容器の圧力が高圧に上昇すれば、流路を遮断して消火させる流路遮断式安全弁２００を備え、前記流路遮断式安全弁２００と対向する方向には、ガス遮断後、ガス容器の圧力が過度に上昇すればガス容器のガスを外部に排出させる爆発防止装置３００を備えるものである。
【００２９】
本発明において、ガス容器は図示しない装着レバーを用いてガス注入部１０に結合した後、調整器１００側に押圧し、前記ガス容器の密着によってスプリング１１によって弾支された注入ノブ１２がガス容器のノズルを押圧して、ガス容器に満たされたガスが調整器１００の内部に注入され、前記ガス注入部１０によってガスが注入されるガス流路と直交する方向に形成された水平ガス流路２０にガスが注入され、前記水平ガス流路２０からは圧力調節室４０に高圧のガスが注入されてから静圧に調整された後、スピンドル５０によってバーナーに供給されるガス排出量が調節される。
【００３０】
ここで、水平ガス流路２０には両側に流路遮断式安全弁２００と爆発防止装置３００をそれぞれ設置することで、ガスが燃焼されるうちに圧力が上昇すれば流路遮断式安全弁２００で流路を遮断して消火をさせることにより爆発を防止し、ガス遮断後にもガス容器の圧力が上昇すれば、爆発防止装置３００でガス容器のガスを外部に排出させることにより爆発事故を完璧に遮断するものである。
【００３１】
本発明の流路遮断式安全弁２００は、リーフスプリング２１０によって弾支されたバルブノブ２２０を設置し、前記バルブノブ２００の先端には遮断バルブ２１を弾支されるように設置し、前記遮断バルブ２１の先端にガス容器のガスが供給されて遮断バルブ２１をバルブノブ２２０側に押す力を加えるようにし、前記遮断バルブ２１はスプリング２２によってずっとバルブノブ２２０側に押す力を受けるようにし、前記スプリング２２は爆発防止装置３００によって支えられる。
【００３２】
本発明は、既存のガス調整器１００ａから栓２４を螺合して支えるスプリング２２を爆発防止装置３００のボディー３１０の螺合によって支えることにより爆発防止装置３００の設置が完了する。
【００３３】
本発明において、圧力調節室４０に流入するガスはバルブノブ２２０側から排出され、前記遮断バルブ２１がバルブノブ２２０側に移動して遮断段部２３を塞げば、水平ガス流路２０から圧力調節室４０に供給されるガスが遮断されて消火されるもので、ガス容器から正常圧力のガスが供給されれば、遮断バルブ２１が遮断段部２３を塞がないようにリーフスプリング２１０で支えることになり、高圧（５〜７ｋｇ／ｃｍ２）のガスが供給される場合は、ガス圧力によってリーフスプリング２１０が押されて遮断バルブ２１が遮断段部２３を塞いでガス供給を遮断することになる。
【００３４】
すなわち、ガス容器のガス圧力が高圧（５〜７ｋｇ／ｃｍ２）で流入する場合は、リーフスプリング２１０が押されて遮断バルブ２１が遮断段部２３を塞ぐことにより、圧力調節室４０に供給されるガスが遮断されて消火されるので、ガス容器爆発を防止することになる。
【００３５】
本発明は、前記流路遮断式安全弁２００と対向する位置に爆発防止装置３００を設けるもので、前記爆発防止装置３００は、水平ガス流路２０に螺合方式で固定結合されるボディー３１０を備え、前記ボディー３１０の中央に水平ガス流路２０と連通する排出口３２０を形成し、前記排出口３２０の先端にはボディー３１０の中央に陷沒される形の陷沒部３３０を形成し、前記陷沒部３３０にはボール３４０を結合して排出口３２０を塞ぎ、前記ボディー３１０には等間隔でボール３４０を押すリーフスプリング３５０を固定突起３６０でリベット形態に固定させることによってなる。
【００３６】
本発明の爆発防止装置３００と安全弁２００などにおいてガス漏出を防止するＯリングの使用は必須なもので、本発明ではこれについての詳細な説明は省略する。
【００３７】
本発明のボール３４０は等間隔で押すリーフスプリング３５０によって排出口３２０側に押圧されて排出口３２０を塞ぎ、前記ボール３４０は排出口３２０を通じて伝達されるガス圧によって常に外側に押し出す力を受ける。この際、ガス圧力が爆発圧力（１３ｋｇ／ｃｍ２以上）に上昇する場合、リーフスプリング３５０がボール３４０を沮止することができずに外側に広がり、ボール３４０が排出口３２０を塞がないで押され、これによりガス容器のガスは水平ガス流路２０から排出口３２０を通じてすっかり大気中に放出されることにより、爆発が発生しない。
【００３８】
本発明において、ガス注入部１０を通じてガス容器から注入されるガスは直交する方向に両側に貫設された水平ガス流路２０に注入され、前記水平ガス流路２０に注入されたガスは、遮断バルブ２１が遮断段部２３を塞がない場合、圧力調節室４０に流入して静圧に変換され、圧力調節室４０のガスはスピンドル５０によって排出される量が調節されてからバーナーに供給される。このような過程は既存の調整器の動作と同様であり、前記水平ガス流路２０に設置された流路遮断式安全弁２００によって、ガスが燃焼されるうちにガス容器の圧力が上昇する場合、ガス供給を遮断して消火させることも既存の流路遮断式調整器１００ａと同様である。
【００３９】
本発明は、調整器１００において流路遮断式安全弁２００によってガス供給が遮断された状態でも、ガス容器には残余ガスが満たされている状態なので、調理容器の輻射熱や外部熱源によってガス容器が加熱される場合、ガス容器の圧力が過度に上昇して爆発することになる問題を解決するもので、本発明は、ガスが遮断された状態でもガス圧力が上昇する場合、爆発防止装置３００から水平ガス流路２０を開放して、ガス容器に満たされたガスが大気中に放出されるようにすることにより、爆発が発生する可能性を無くすものである。
【００４０】
一方、本発明の爆発防止装置３００はカン離脱式のガス調整器１００にも適用することができるもので、ガス注入部１０のガスを外部に排出させる流路に爆発防止装置３００を設置すれば良い。
【００４１】
カン離脱式を採用したガス調整器１００にもガス流路を塞ぐ仕上げキャップが結合されるもので、本発明においては、前記仕上げキャップを分離した後、爆発防止装置３００を螺合させることでなる。
【００４２】
カン離脱式は、ガス圧力が上昇する場合、装着レバーを復帰させてガス容器を離脱させるが、ガス容器が離脱した状態でも輻射熱が加わる場合、ガス容器が膨脹しながら装着レバーの作動なしにもガス注入部１０に装着され、これによりガス調整器１００の内部流路に過度な圧力のガスが流入し、このように流入したガスが爆発圧力に上昇する場合、爆発防止装置３００で流路のガスを外部に排出させることにより、爆発を防止することになる。
【００４３】
カン離脱式ガス安定器１００において、爆発防止装置３００が作動してガス容器のガスが排出されれば、ガス容器は輻射熱の加熱によって爆発の危険がなくなる。
【００４４】
このような、本発明をガス容器の装着過程から詳細に説明する。
【００４５】
調整器１００のガス注入部１０に装着レバーを用いてガス容器を装着させれば、ガス容器のノズルをスプリング１１によって弾支された注入ノブ１２が押すことにより、ガス容器に満たされたガスがガス注入部１０を通じて注入され、ガス注入部１０に注入されたガスは水平ガス流路２０を通じて圧力調節室４０に流入することになる。
【００４６】
前記水平ガス流路２０にはスプリング２２によって弾支された遮断バルブ２１が遮断段部２３側に押され、前記遮断バルブ２１はリーフスプリング２１０によって弾支されたバルブノブ２２０を押す方向に押されるが、ガス注入部１０を通じてガスが注入されると、正常圧力によってはリーフスプリング２１０が押されなくてバルブノブ２２０と遮断バルブ２１が移動しなくなるので、水平ガス流路２０に注入されたガスは正常に圧力調節室４０に注入される。
【００４７】
この際、リーフスプリング２１０は正常圧力のガスが注入される場合は押されなく、高圧（５〜７ｋｇ／ｃｍ２）のガスが注入される場合はガス圧力がバルブノブ２２０を押すことによってリーフスプリング２１０が押されるので、スプリング２２によって弾支された遮断バルブ２１が遮断段部２３を塞ぐ方向に移動することになり、遮断バルブ２１が遮断段部２３を塞ぐ瞬間、圧力調節室４０に注入されるガスが遮断されることによって消火される。
【００４８】
すなわち、流路遮断式安全弁２００は、正常圧力のガスが注入される場合は、リーフスプリング２１０が押されなく、高圧（５〜７ｋｇ／ｃｍ２）のガスが注入される場合には、リーフスプリング２１０が押され、遮断バルブ２１が遮断段部２３を塞いで流路を遮断することになる。
【００４９】
流路遮断式安全弁２００において、遮断バルブ２１で遮断段部２３を塞いで流路を遮断すれば、バーナーの燃焼が消火され、これにより、過熱によるガス容器の爆発事故を事前に防止することになる。
【００５０】
流路遮断式安全弁２００において、高圧によって押されるリーフスプリング２１０は復帰レバー２３０を押して元の状態に復帰させた後、再使用することができる。
【００５１】
しかし、流路遮断式安全弁２００を用いてガス流路を遮断することによってガスは供給されないが、ガス容器にはガスが満たされている状態なので、ガス供給が遮断された状態でも調理容器の輻射熱や外部熱源によってガス容器が過度な圧力（１３ｋｇ／ｃｍ２以上）に加熱される場合には爆発の危険があるから、本発明では爆発防止装置３００を用いてガス容器のガスを排出させることにより、爆発の危険を事前に遮断するものである。
【００５２】
このように、ガスが遮断された状態で輻射熱や外部熱源によってガス容器が加熱される場合、水平ガス流路２０に供給されるガスは圧力が過度に上昇することになり、このような過度なガス圧力はボディー３１０の排出口３２０を通じてボール３４０を押すことになる。この際、前記ボール３４０はリーフスプリング３５０が押されないように保持するので、水平ガス流路２０の圧力が爆発圧力（１３ｋｇ／ｃｍ２以上）に上昇すれば、前記リーフスプリング３５０を押してボール３４０が排出口３２０を塞がないようにする。
【００５３】
すなわち、水平ガス流路２０に爆発圧力（１３ｋｇ／ｃｍ２以上）が加わる前にはリーフスプリング３５０はボール３４０が離脱しないように保持するが、爆発圧力（１３ｋｇ／ｃｍ２以上）が加われば、リーフスプリング３５０が外側に広がってボール３４０を離脱させて排出口３２０を開放することになる。
【００５４】
このように、ボール３４０が離脱して排出口３２０が開放されれば、ガス容器に満たされたガスはすっかり大気中に放出されることにより、爆発が発生することができなくなる。
【００５５】
本発明の爆発防止装置３００は、過度な圧力が感知されて等間隔でボール３４０を押すリーフスプリング３５０の中央部が広がり、ボール３４０が排出口３２０を塞がなければ、ガス容器のガスを排出して爆発は防止することになるが、ボール３４０を元の位置に復帰させてリーフスプリング３５０で塞ぐことはできない。
【００５６】
本発明のリーフスプリング３５０は、突起の直径と突起が形成される所のスロットの深さを調整するとかあるいは突起の内側に孔を形成することで爆発圧力を調整することができる。
【００５７】
このように、本発明は、流路遮断式安全弁２００によって１次にガスが遮断された状態で圧力が過度に上昇すれば、２次に爆発防止装置３００でガスを排出させて爆発が起こらないようにするもので、ガスレンジにおけるガス容器の爆発事故を完璧に防止することができる。
【００５８】
一方、流路遮断式安全弁２００や爆発防止装置３００が作動しない状態では、水平ガス流路２０に供給されたガスが圧力調節室４０に移動して静圧に変換された後、スピンドル５０によってガス量が調節され、バーナーに供給されて燃焼される。
【００５９】
本発明は、ガスが供給される状態でガス容器の圧力が危ない高圧に上昇する場合、流路遮断式安全弁２００のリーフスプリング２１０が押され、遮断バルブ２１が遮断段部２３を塞ぐことで、水平ガス流路２０を通じてのガス供給を遮断することにより、ガス容器の爆発危険を事前に防止し、このようにガス流路を遮断してガス供給を遮断したにもガス容器にはガスが残り、調理容器の輻射熱や外部熱源によってガス容器が加熱されれば爆発が発生するので、ガスが遮断された状態であるがガス圧力が過度に上昇する場合は、爆発防止装置３００のリーフスプリング３５０が押されて、排出口３２０を塞いでいるボール３４０を離脱させることで、水平ガス流路１０とガス容器に満たされているガスを外部に排出させて、ガス容器にはガスが残っていないようにすることにより、ガス容器が爆発する場合を完璧に無くすことになる。
【００６０】
そして、本発明は、既存のガス調整器１００ａをそのまま活用することができ、コイルスプリングを使わないので、長期間が経過しても信頼性が低下しない。
【００６１】
一方、本発明の爆発防止装置３００は、高圧がかかるときにガス容器を離脱させてガスを遮断するカン離脱式ガス調整器１００にも適用することができるもので、ガス注入部１０からガスが注入されて流れる流路に爆発防止装置３００を設置すれば良い。
【図１】
2016516170.tif 000003
【図２】
2016516170.tif 000004
【図３】
2016516170.tif 000005
【図４】
2016516170.tif 000006
【図５】
2016516170.tif 000007
【図６】
2016516170.tif 000008
【図７】
2016516170.tif 000009
【図８】
2016516170.tif 000010
【図９】
2016516170.tif 000011
【図１０】
2016516170.tif 000012
【図１１】
2016516170.tif 000013
【図１２】
2016516170.tif 000014
【図１３】
2016516170.tif 000015
【図１４】
2016516170.tif 000016
【図１５】
2016516170.tif 000017
【図１６】
2016516170.tif 000018
【図１７】
2016516170.tif 000019
【国際調査報告】
2016516170.tif 000020
2016516170.tif 000021
2016516170.tif 000022
2016516170.tif 000023